(57)【要約】【課題】画像データを表示部に表示することが可能なファクシミリ装置を提供すること。【解決手段】多機能機は、画像データを生成する。多機能機は、画像データをタッチパネルへ表示する。多機能機は、画像データを受信側の多機能機へ送信する許可の入力を受け付ける。多機能機は、受信側の多機能機で受信された画像データを受信側の多機能機のタッチパネルに表示させる際の表示態様を指示する、表示パラメータを設定する。多機能機は、画像データを送信する許可の入力が受け付けられることに応じて、画像データを表示パラメータと共に受信側の多機能機へ送信する。【選択図】図３
2011211475.tif 000002
【特許請求の範囲】
【請求項１】
画像データを生成する画像データ生成手段と、
前記画像データを送信側表示部へ表示する表示手段と、
前記画像データを受信側装置へ送信する許可の入力を受け付ける入力受付手段と、
前記受信側装置で受信された前記画像データを前記受信側装置の受信側表示部に表示させる際の表示態様を指示する表示パラメータを設定する表示パラメータ設定手段と、
前記入力受付手段で前記画像データを送信する許可の入力が受け付けられることに応じて、前記画像データを前記表示パラメータと共に前記受信側装置へ送信する送信手段と、
を備えることを特徴とするファクシミリ装置。
【請求項２】
前記表示パラメータには、
前記画像データの少なくとも一部を前記受信側表示部に表示する際に、前記画像データの何れの位置を基準として表示するかを指示する位置基準情報が含まれていることを特徴とする請求項１に記載のファクシミリ装置。
【請求項３】
前記表示パラメータ設定手段は、
前記送信側表示部に表示されている前記画像データの、前記送信側表示部の所定位置に対応する座標を、前記位置基準情報として設定することを特徴とする請求項２に記載のファクシミリ装置。
【請求項４】
前記表示パラメータには、
前記画像データの少なくとも一部を前記受信側表示部に表示する際に、前記画像データをどれだけ回転させて表示するかを指示する回転表示情報が含まれていることを特徴とする請求項１ないし３の何れか１項に記載のファクシミリ装置。
【請求項５】
前記表示パラメータ設定手段は、
前記送信側表示部に表示されている前記画像データの回転状態に対応する角度を、前記回転表示情報として設定することを特徴とする請求項４に記載のファクシミリ装置。
【請求項６】
前記画像データ生成手段は、１または複数の前記画像データを生成する際にページ番号を前記画像データに順番に割り当て、
前記表示パラメータには、前記画像データを前記受信側表示部に表示する際に、何れのページ番号が割り当てられた前記画像データを表示するかを指示するページ情報が含まれていることを特徴とする請求項１ないし５の何れか１項に記載のファクシミリ装置。
【請求項７】
画像データを受信して記憶部へ記憶させる画像データ受信手段と、
前記画像データを受信側表示部に表示させる際の表示態様を指示する表示パラメータを受信して記憶部へ記憶させる表示パラメータ受信手段と、
前記表示パラメータで指示される前記表示態様を用いて前記記憶部に記憶されている前記画像データを前記受信側表示部へ表示する表示手段と、
を備えることを特徴とするファクシミリ装置。
【請求項８】
前記表示パラメータには、前記画像データの何れの位置を基準として前記受信側表示部に表示するかを指示する位置基準情報が含まれており、
前記表示手段は、前記位置基準情報を基準として、前記画像データの少なくとも一部を前記受信側表示部に表示することを特徴とする請求項７に記載のファクシミリ装置。
【請求項９】
前記表示パラメータには、前記画像データをどれだけ回転させて前記受信側表示部に表示するかを指示する回転表示情報が含まれており、
前記表示手段は、前記回転表示情報に基づいて前記画像データを回転させて、前記画像データの少なくとも一部を前記受信側表示部に表示することを特徴とする請求項７または８に記載のファクシミリ装置。
【請求項１０】
１または複数の前記画像データは、ページ番号が順番に割り当てられており、
前記表示パラメータには、何れのページ番号が割り当てられた前記画像データを前記受信側表示部に表示するかを指示するページ情報が含まれており、
前記表示手段は、前記ページ情報に基づいて表示する前記画像データを選択した上で、選択した前記画像データの少なくとも一部を前記受信側表示部に表示することを特徴とする請求項７ないし９の何れか１項に記載のファクシミリ装置。
【請求項１１】
前記画像データを記録紙に印刷する印刷手段をさらに備え、
前記印刷手段は、前記位置基準情報により特定される領域を、他の領域とは異なる態様で印刷することを特徴とする請求項８に記載のファクシミリ装置。
【請求項１２】
前記画像データには、前記表示パラメータと共に送信されてくる表示パラメータ付き画像データと、前記画像データ単体で送信されてくる表示パラメータ無し画像データとが存在し、
前記記憶部に記憶されている前記表示パラメータ付き画像データおよび前記表示パラメータ無し画像データに関する情報を、前記受信側表示部に一覧表示する一覧表示手段をさらに備え、
前記一覧表示手段は、前記表示パラメータ付き画像データに関する情報の表示態様と前記表示パラメータ無し画像データに関する情報の表示態様とを異ならせることを特徴とする請求項７ないし１１の何れか１項に記載のファクシミリ装置。
【発明の詳細な説明】
【技術分野】
【０００１】
本発明は、画像データを表示部に表示することが可能なファクシミリ装置に関する。
【背景技術】
【０００２】
特許文献１に記載のファクシミリ装置では、受信した画像データが、その先頭から所定量分、送信側のユーザに関する情報として表示部に表示される。
【先行技術文献】
【特許文献】
【０００３】
【特許文献１】特開平５−３２７９６２号公報
【発明の概要】
【発明が解決しようとする課題】
【０００４】
従来技術では、一律に先頭から所定量分の画像データが表示される。しかしながら、送信側のユーザにとっては、受信側の装置で画像データを表示させたい位置（画像データの先頭部や終端部など）や、表示させたい向き（縦向き、横向きなど）が存在する。本明細書では、このような不便性を解消することができる技術を提供する。
【課題を解決するための手段】
【０００５】
本目的を達成するために、本願のファクシミリ装置は、画像データを生成する画像データ生成手段と、画像データを送信側表示部へ表示する表示手段と、画像データを受信側装置へ送信する許可の入力を受け付ける入力受付手段と、受信側装置で受信された画像データを受信側装置の受信側表示部に表示させる際の表示態様を指示する表示パラメータを設定する表示パラメータ設定手段と、入力受付手段で画像データを送信する許可の入力が受け付けられることに応じて、画像データを表示パラメータと共に受信側装置へ送信する送信手段と、を備えることを特徴とする。
【発明の効果】
【０００６】
画像データ生成手段の一例としては、原稿を読み取って画像データを生成するスキャナ部が挙げられる。送信側表示部は、画像データを送信する側のファクシミリ装置に備えられている表示部である。送信側表示部の一例としては、液晶パネルが挙げられる。画像データを受信側装置へ送信するか否かの入力は、例えば、送信側のユーザによって行われても良い。送信側のユーザは、送信側表示部に表示されている画像データを確認した上で、画像データを送信する旨の入力を行うことにより、誤った内容の画像データを送信してしまう事態を防止することが可能となる。
【０００７】
受信側表示部は、画像データを受信する受信側装置に備えられた表示部である。受信側表示部の一例としては、受信側のファクシミリ装置に備えられている液晶パネルが挙げられる。画像データを受信側表示部に表示する際の表示態様を指示する表示パラメータには、様々なパラメータがある。表示パラメータの一例としては、画像データの一部を表示する態様では、どの領域を表示するかを指示する座標が挙げられる。また、画像データが複数ページ存在する態様では、何れのページ番号が割り当てられた画像データを表示するかを指示するページ情報が挙げられる。また、画像データを回転させて表示する態様では、画像データをどれだけ回転させて表示するかを指示する表示角度が挙げられる。表示パラメータを送信する方法の一例としては、ＮＳＳ（非標準機能設定）信号として送信する方法が挙げられる。
【０００８】
これにより、送信側のユーザによって、受信側表示部に表示される画像データの表示態様を予め指定することができる。そして、受信側のユーザは、送信側のユーザによって指定された適切な表示態様を用いることにより、スムーズに画像データの内容を確認することができる。よって、ユーザの利便性を高めることができる。
【０００９】
また、本願に記載のファクシミリ装置では、受信側表示部は、画像データの少なくとも一部を表示する。例えば、受信側表示部が画像データに比して小さな表示領域しか有さない場合には、画像データの一部が受信側表示部に表示される。位置基準情報は、画像データの何れの位置を基準として表示するかを指示する。位置基準情報の例としては、座標などの数値データが挙げられる。また、位置基準情報として、ファクシミリデータのライン数や、送信側表示部での縦方向または横方向のスクロール回数などを用いてもよい。これにより、送信側のユーザによって、画像データのうち受信側のユーザに見て欲しい位置を予め指定して送信することができる。
【００１０】
また、本願に記載のファクシミリ装置において、送信側表示部の所定位置の一例としては、液晶パネルの左上隅部が挙げられる。送信側のユーザが、受信側表示部で表示させたい画像データの領域を、送信側表示部に表示する。そして、送信側表示部の左上隅部に対応する画像データ上の座標を、位置基準情報として設定する。受信側表示部では、位置基準情報が受信側表示部の左上隅部に位置するように、画像データを表示する。よって、送信側のユーザによって、画像データのうち受信側のユーザに見て欲しい領域を予め指定して送信することができる。これにより、表示させたい領域を視覚で直感的に指定することが可能となるため、利便性を高めることができる。
【００１１】
また、本願に記載のファクシミリ装置では、回転表示情報は、画像データをどれだけ回転させて受信側表示部に表示するかを指示する。回転表示情報の一例としては、右９０度回転、１８０度回転、左９０度回転などの回転角度が挙げられる。また、回転表示情報として、予め定められた所定角度（９０度など）で回転させた回転回数を用いてもよい。また、画像データを受信側表示部に表示させる態様としては、画像データを回転させてから表示する態様や、画像データを表示してから回転させる態様も含まれる。これにより、送信側のユーザによって、画像データの向き（横向きや縦向きなど）に応じて予め回転表示情報を指定することができる。よって、画像データの向きと、受信側表示部で表示される際の向きとに齟齬が生じることを防止できる。
【００１２】
また、本願に記載のファクシミリ装置において、送信側表示部に表示されている画像データの回転状態に対応する角度の一例としては、右９０度回転させて送信側表示部に表示している場合には、その角度が挙げられる。この場合、回転表示情報として「右９０度回転」が設定され、送信される。そして受信側表示部では、右９０度回転された画像データが表示される。これにより、表示させたい角度を視覚で直感的に指定することが可能となるため、利便性を高めることができる。
【００１３】
また、本願に記載のファクシミリ装置では、複数ページの原稿を読み取って画像データを生成する場合などには、連番のページ番号が割り当てられた画像データが複数生成される。そしてページ情報は、何れのページ番号が割り当てられた画像データを受信側表示部に表示するかを指示する。ページ情報によって指示されるページ数は、複数ページであってもよい。これにより、送信側のユーザによって、画像データのうち受信側のユーザに見て欲しいページを予め指定して送信することができる。
【００１４】
また、本願に記載のファクシミリ装置において、他の領域とは異なる態様で印刷する一例としては、網掛け印刷や、カラー印刷などが挙げられる。これにより、画像データが印刷される場合においても、画像データのうち受信側のユーザに見て欲しい位置を指定することができる。よって、ユーザの利便性を高めることができる。
【００１５】
また、本願に記載のファクシミリ装置において、表示パラメータ無し画像データの一例としては、例えば本願に記載のファクシミリ装置の機能を有さないファクシミリ装置から送信されてきた画像データが挙げられる。また、表示パラメータ付き画像データおよび表示パラメータ無し画像データに関する情報の一例としては、タイトルや、送信元の電話番号や、受信日時などが挙げられる。また、表示態様を異ならせる方法の一例としては、マークを付す方法が挙げられる。これにより、受信側のユーザは、一覧表示のうちから表示態様の異なる情報を見つけることで、表示パラメータ付き画像データを容易に認識することができる。よって、ユーザの利便性を高めることができる。
【図面の簡単な説明】
【００１６】
【図１】多機能機ネットワークの概略図である。
【図２】多機能機の動作フローチャート（その１）である。
【図３】多機能機の動作フローチャート（その２）である。
【図４】多機能機の動作フローチャート（その３）である。
【図５】多機能機の動作フローチャート（その４）である。
【図６】多機能機の動作フローチャート（その５）である。
【図７】多機能機の動作フローチャート（その６）である。
【図８】タッチパネルの画面表示例である。
【図９】表示パラメータテーブルの一例を示す図である。
【図１０】受信データ一覧テーブルの一例を示す図である。
【図１１】画像データと表示領域との関係を示す図（その１）である。
【図１２】画像データと表示領域との関係を示す図（その２）である。
【発明を実施するための形態】
【００１７】
図面を参照して実施例を説明する。図１は、本実施例の多機能機ネットワーク１の概略図を示す。多機能機ネットワーク１は、多機能機１０、１０ａ、１０ｂを備える。多機能機１０ないし１０ｂは、電話回線網４に接続され、互いに通信可能とされている。
【００１８】
多機能機１０について説明する。多機能機１０は、制御部１２、タッチパネル５０、キーパッド５２、印刷部５４、ＦＡＸ部５８、ネットワークインターフェイス６０、ＰＳＴＮインターフェイス６２、スキャナ部６４、等を有する。制御部１２は、ＣＰＵ１４、ＲＯＭ１６、ＲＡＭ３０、ＮＶＲＡＭ４０、等を有する。ネットワークインターフェイス６０は、電話回線網４に接続されている。多機能機１０は、電話回線網４を介して、他の多機能機１０ａおよび１０ｂと通信可能とされている。ＣＰＵ１４は、ＲＯＭ１６に記憶されている各種のプログラムに従って様々な処理を実行する。基本機能プログラム１８は、多機能機１０の基本的な動作を制御するためのプログラムである。
【００１９】
タッチパネル５０の表示内容について説明する。図８に、タッチパネル５０の画面表示例を示す。タッチパネル５０の表示領域４５０には、画像データの一部が表示される。画像データと表示領域４５０との関係を、図１１を用いて説明する。１ページ分の画像データは、画像データ領域４０１を有する。また、画像データ領域４０１上の任意の位置に、表示領域４５０が配置される。画像データ領域４０１の面積よりも表示領域４５０の面積の方が小さいため、表示領域４５０によって画像データ領域４０１の一部がトリミングされた上で、タッチパネル５０に表示されることになる。
【００２０】
またタッチパネル５０には、前ページボタン１０１、次ページボタン１０２、上ボタン１０３、下ボタン１０４、左ボタン１０５、右ボタン１０６、左回転ボタン１０７、右回転ボタン１０８、が表示される。また、位置決定ボタン１１１、送信ボタン１１２、受信一覧表示ボタン１１３、印刷ボタン１１４、閉じるボタン１１５、が表示される。これらのボタンの内容については、後述する。
【００２１】
ＮＶＲＡＭ４０は、基本機能パラメータ記憶領域４２、表示パラメータテーブルＴＢ１、受信データ一覧テーブルＴＢ２を記憶する。基本機能パラメータ記憶領域４２は、ＣＰＵ１４が基本機能プログラム１８に従って処理を実行する際に利用される各種パラメータ（例えば印刷設定、ＦＡＸ設定等）を記憶するための記憶領域である。
【００２２】
表示パラメータテーブルＴＢ１は、表示パラメータ３１０を記憶するテーブルである。表示パラメータ３１０は、多機能機１０で受信された画像データを、タッチパネル５０に表示させる際の表示態様を指示するパラメータである。図９に、表示パラメータテーブルＴＢ１の一例を示す。表示パラメータ３１０には、ページ番号３１１、位置基準情報３１２、回転表示情報３１３が含まれている。
【００２３】
ページ番号３１１は、複数ページの画像データのうち、何れのページ番号が割り当てられた画像データをタッチパネル５０に表示するかを指示する情報である。位置基準情報３１２は、何れの位置を基準として表示領域４５０を画像データ領域４０１上に配置するかを指示する情報である。位置基準情報３１２は、図１１に示すように、画像データ領域４０１の左上隅部を原点Ｐ０（０、０）とする座標で表される。回転表示情報３１３は、表示領域４５０を画像データ領域４０１上でどれだけ回転させて配置するかを指示する情報である。回転表示情報は、右９０度回転、１８０度回転、左９０度回転などの回転角度で表される。
【００２４】
受信データ一覧テーブルＴＢ２は、受信した画像データに関する各種の情報を記憶するテーブルである。図１０に、受信データ一覧テーブルＴＢ２の一例を示す。受信データ一覧テーブルＴＢ２は、受信番号２１１、発信元番号２１２、受信時刻２１３、表示パラメータ情報２１４を記憶する。受信番号２１１は、画像データを受信した順番を示す番号である。新しく受信した画像データほど小さい番号が割り振られる。発信元番号２１２は、画像データを送信してきた送信元装置のＦＡＸ番号である。受信時刻２１３は、受信データを受信した時刻である。
【００２５】
表示パラメータ情報２１４は、受信した画像データに表示パラメータ３１０が付されていたか否かを表す情報である。複数ページの画像データの少なくとも１ページに表示パラメータが付されている場合には、表示パラメータ情報２１４が「有り」とされる。これにより、受信側のユーザは、受信データ一覧テーブルＴＢ２のうちから、表示パラメータ情報２１４が「有り」とされている画像データを見つけることで、表示パラメータ付き画像データを容易に認識することができる。よって、ユーザの利便性を高めることができる。
【００２６】
ＲＡＭ３０は、基本機能ワーク領域３２を備える。基本機能ワーク領域３２は、基本機能プログラム１８に従って処理が実行される過程で生成される各種データや、設定中の表示パラメータ３１０を記憶するための記憶領域である。
【００２７】
また、多機能機１０ａについて説明する。多機能機１０ａは、制御部１２ａ、タッチパネル５０ａ、キーパッド５２ａ、印刷部５４ａ、ＦＡＸ部５８ａ、ネットワークインターフェイス６０ａ、ＰＳＴＮインターフェイス６２ａ、スキャナ部６４ａ、等を有する。また、ＮＶＲＡＭ４０ａは、基本機能パラメータ記憶領域４２ａ、表示パラメータテーブルＴＢ１ａ、受信データ一覧テーブルＴＢ２ａを記憶する。表示パラメータテーブルＴＢ１ａは、図９の表示パラメータテーブルＴＢ１と同様の構成を有する。また、受信データ一覧テーブルＴＢ２ａは、図１０の受信データ一覧テーブルＴＢ２と同様の構成を有する。また、タッチパネル５０ａの表示内容は、図８のタッチパネル５０と同様である。また、多機能機１０ａのその他の構成は、多機能機１０と同様である。よって、ここでは詳細な説明は省略する。
【００２８】
多機能機ネットワーク１の動作を、図２ないし図７のフローチャートを用いて説明する。例として、図１において、多機能機１０がＦＡＸの送信側装置であり、多機能機１０ａがＦＡＸの受信側装置である場合を説明する。また、多機能機１０のタッチパネル５０を用いて表示パラメータ３１０の設定が行われる場合を説明する。また、多機能機１０ａのタッチパネル５０ａに、表示パラメータ３１０に基づいた表示が行われる場合を説明する。
【００２９】
多機能機１０（送信側装置）で行われるＦＡＸ送信準備を、図２のフローを用いて説明する。Ｓ１１１において、ＣＰＵ１４は、スキャナ部６４で原稿を読み取り、画像データを生成する。またＣＰＵ１４は、画像データにページ番号を割り当てる。Ｓ１１３において、ＣＰＵ１４は、原稿に次ページがあるか否かを判断する。次ページがある場合（Ｓ１１３：ＹＥＳ）にはＳ１１１へ戻り、次ページの原稿のスキャンを行う。次ページがない場合（Ｓ１１３：ＮＯ）には、スキャン動作を終了し、Ｓ１１５へ進む。これにより、連番のページ番号が割り当てられた、複数ページの画像データを生成することができる。
【００３０】
Ｓ１１５およびＳ１１７では、複数ページの画像データの中から、表示パラメータの設定を行う画像データを選択する動作が行われる。Ｓ１１５において、ＣＰＵ１４は、ユーザによって選択されたページの画像データをタッチパネル５０へ表示する。
【００３１】
Ｓ１１７においてＣＰＵ１４は、タッチパネル５０に表示されている、次ページボタン１０２または前ページボタン１０１がタッチされたか否かを判断する。次ページボタン１０２がタッチされた場合（Ｓ１１７：ＹＥＳ）にはＳ１１５へ戻り、次ページの画像データを表示する。また、前ページボタン１０１がタッチされた場合（Ｓ１１７：ＹＥＳ）にはＳ１１５へ戻り、前ページの画像データを表示する。一方、次ページボタン１０２および前ページボタン１０１がタッチされていない場合（Ｓ１１７：ＮＯ）には、画像データの選択が完了したとして、Ｓ１１９へ進む。
【００３２】
Ｓ１１９ないしＳ１３５のステップでは、選択されたページの画像データについて、表示パラメータ３１０の設定が行われる。なお、Ｓ１１５およびＳ１１７でページを選択する操作と、Ｓ１１９ないしＳ１３５で表示パラメータ３１０の設定を行う操作とを交互に繰り返せば、複数のページの各々の画像データについて、表示パラメータ３１０の設定を行うことが可能である。
【００３３】
Ｓ１１９において、ＣＰＵ１４は、上ボタン１０３、下ボタン１０４、左ボタン１０５、右ボタン１０６の何れかが送信側ユーザにタッチされたか否かを判断する。これらのボタンは、図１１において、表示領域４５０の位置を画像データ領域４０１上で移動させるためのボタンである。上ボタン１０３がタッチされると、表示領域４５０が矢印１０４ａ方向へ所定量移動する。また、下ボタン１０４がタッチされると、表示領域４５０が矢印１０３ａ方向へ所定量移動する。また、左ボタン１０５がタッチされると、表示領域４５０が矢印１０６ａ方向へ所定量移動する。また、右ボタン１０６がタッチされると、表示領域４５０が矢印１０５ａ方向へ所定量移動する。これにより、画像データ領域４０１の任意の場所に、表示領域４５０を配置させることができる。そしてＳ１２１において、移動後の表示領域４５０の左上隅部位置Ｐ１の座標が、位置基準情報３１２としてＲＡＭ３０に記憶される。図１１の例では、Ｐ１（３０、６０）が、位置基準情報３１２としてＲＡＭ３０に記憶される。
【００３４】
Ｓ１２３において、ＣＰＵ１４は、移動後の表示領域４５０でトリミングされる領域を、タッチパネル５０に再表示する。図１１の例では、表示領域４５０でトリミングされる領域が、タッチパネル５０（図８）に表示される。そしてＳ１１７へ戻る。
【００３５】
一方、Ｓ１１９において、上ボタン１０３、下ボタン１０４、左ボタン１０５、右ボタン１０６の何れも送信側ユーザにタッチされていない場合（Ｓ１１９：ＮＯ）には、Ｓ１２５へ進む。Ｓ１２５において、ＣＰＵ１４は、左回転ボタン１０７または右回転ボタン１０８が送信側ユーザにタッチされたか否かを判断する。これらのボタンは、図１２において、表示領域４５０の中心点を回転軸として、表示領域４５０を回転させるためのボタンである。右回転ボタン１０８がタッチされると、図１２に示すように、表示領域４５０が左９０度回転し、表示領域４５０ａとなる。一方、左回転ボタン１０７をタッチすると、表示領域４５０が右９０度回転する。これにより、表示領域４５０の向きを調整することができる。
【００３６】
Ｓ１２７において、ＣＰＵ１４は、変更後の回転角度を、回転表示情報３１３としてＲＡＭ３０に記憶する。図１２の表示領域４５０ａの例では、回転角度＝「右９０度」が記憶される。
【００３７】
Ｓ１２９において、ＣＰＵ１４は、回転後の表示領域４５０において、位置基準情報３１２を更新する。図１２の例では、表示領域４５０ａの左上隅部位置Ｐ１ａの座標が、位置基準情報３１２としてＲＡＭ３０に記憶される。
【００３８】
Ｓ１３１において、ＣＰＵ１４は、回転後の表示領域でトリミングされる部分を、タッチパネル５０に再表示する。図１２の例では、表示領域４５０ａでトリミングされる領域が、タッチパネル５０に表示される。そしてＳ１１７へ戻る。
【００３９】
一方、Ｓ１２５において、左回転ボタン１０７および右回転ボタン１０８の何れもタッチされていない場合（Ｓ１２５：ＮＯ）には、Ｓ１３３へ進む。Ｓ１３３において、ＣＰＵ１４は、位置決定ボタン１１１が送信側ユーザにタッチされたか否かを判断する。タッチされた場合（Ｓ１３３：ＹＥＳ）にはＳ１３５へ進む。
【００４０】
Ｓ１３５において、ＣＰＵ１４は、現在表示パラメータの設定を行っているページのページ番号３１１、位置基準情報３１２、回転表示情報３１３を、図９の表示パラメータテーブルＴＢ１に記憶する。これにより、ユーザに選択されたページについての、表示パラメータ３１０の設定が終了する。そしてＳ１１７へ戻る。
【００４１】
本実施形態の説明例では、１ページ目の画像データについて、図１１に示すように表示領域４５０を配置した場合を説明する。この場合、図９に示すように、ページ番号３１１＝１、位置基準情報３１２＝（３０、６０）、回転表示情報３１３＝０度、が表示パラメータテーブルＴＢ１に記憶される。
【００４２】
一方、Ｓ１３３において、位置決定ボタン１１１がタッチされていない場合（Ｓ１３３：ＮＯ）には、Ｓ１３９へ進む。Ｓ１３９において、ＣＰＵ１４は、送信ボタン１１２がタッチされたか否かを判断する。タッチされていない場合（Ｓ１３９：ＮＯ）には、Ｓ１１７へ戻る。一方、送信ボタン１１２がタッチされた場合（Ｓ１３９：ＹＥＳ）には、画像データを多機能機１０ａ（受信側装置）へ送信する旨の許可が、送信側のユーザによって入力された場合である。よってＳ１４１へ進み、ＦＡＸ送信処理が実行される。
【００４３】
Ｓ１４１で行われるＦＡＸ送信処理の詳細を、図３のフローを用いて説明する。Ｓ２１１においてＣＰＵ１４は、回線を閉結し、受信側装置のＦＡＸ番号をダイヤルする。Ｓ２１３において、ＣＰＵ１４は、ＣＮＧ信号を送信する。ＣＮＧ信号は、ＦＡＸ送信であることを受信側装置へ通知する信号である。Ｓ２１５において、ＣＰＵ１４は、ＣＥＤ信号を受信する。ＣＥＤ信号は、ＣＮＧ信号に対応して受信側装置が送信してくる応答信号である。
【００４４】
Ｓ２１６において、ＣＰＵ１４は、送信ページ番号＝１にセットする。送信ページ番号は、複数ページの画像データのうち、何ページ目を送信するかを指示するポインタである。Ｓ２１７において、ＣＰＵ１４は、ＮＳＦ信号（非標準機能識別信号）、ＤＩＳ信号（ディジタル識別信号）を受信する。
【００４５】
Ｓ２１８において、ＣＰＵ１４は、表示パラメータテーブルＴＢ１に、送信ページ番号と一致するページ番号３１１が登録されているか否かを判断する。登録されていない場合（Ｓ２１８：ＮＯ）には、表示態様の指定が無いページを送信する場合であると判断され、Ｓ２１９をスキップしてＳ２２１へ進む。一方、登録されている場合（Ｓ２１８：ＹＥＳ）には、Ｓ２１９へ進む。
【００４６】
Ｓ２１９において、ＣＰＵ１４は、送信ページ番号に一致するページ番号３１１に関連付けられた、位置基準情報３１２および回転表示情報３１３を、ＮＳＳ信号（非標準機能設定信号）に載せて送信する。Ｓ２２１において、ＣＰＵ１４は、ＦＡＸ送信のプロトコルに従い、送信ページ番号に対応する１ページ分の画像データを、受信側装置へ送信する。
【００４７】
Ｓ２２３において、ＣＰＵ１４は、画像データの次ページがあるか否かを判断する。次ページがある場合（Ｓ２２３：ＹＥＳ）にはＳ２２５へ進む。Ｓ２２５において、ＣＰＵ１４は、ＥＯＭ信号（メッセージ終了信号）を送信する。Ｓ２２７において、ＣＰＵ１４は、ＭＣＦ信号（メッセージ確認信号）を受信する。Ｓ２２８において、ＣＰＵ１４は、送信ページ番号を１ページ分増加させ、Ｓ２１７へ戻る。
【００４８】
以上より、Ｓ２１７ないしＳ２２８を繰り返すことで、画像データの全ページを受信側装置へ送信することができる。また、表示パラメータ３１０が設定されているページについては、画像データと共に表示パラメータを送信することができる。
【００４９】
一方、Ｓ２２３において、画像データの次ページがない場合（Ｓ２２３：ＮＯ）には、最終ページの送信が完了したと判断され、Ｓ２２９へ進む。Ｓ２２９において、ＣＰＵ１４は、ＥＯＰ信号（手順終了信号）を送信する。Ｓ２３１において、ＣＰＵ１４は、ＭＣＦ信号（メッセージ確認信号）を受信する。Ｓ２３３において、ＣＰＵ１４は、ＤＣＮ信号（切断命令信号）を送信する。Ｓ２３５において、ＣＰＵ１４は、回線を開放する。そしてＦＡＸ送信処理を終了する。
【００５０】
多機能機１０ａ（受信側装置）で行なわれるＦＡＸ受信処理を、図７のフローを用いて説明する。Ｓ３１１において、ＣＰＵ１４ａは、回線を閉結する。Ｓ３１３において、ＣＰＵ１４ａは、ＣＮＧ信号を受信する。Ｓ３１５において、ＣＰＵ１４ａは、ＣＥＤ信号を送信する。
【００５１】
Ｓ３１６において、ＣＰＵ１４ａは、受信ページ番号＝１にセットする。受信ページ番号は、複数ページの画像データのうち、何ページ目を受信したかを指示するポインタである。Ｓ３１７において、ＣＰＵ１４ａは、ＮＳＦ信号、ＤＩＳ信号を送信する。Ｓ３１８において、ＣＰＵ１４ａは、ＮＳＳ信号を受信したか否かを判断する。受信しない場合（Ｓ３１８：ＮＯ）には、表示態様の指定が無いページを受信した場合であると判断し、Ｓ３１９をスキップしてＳ３２１へ進む。一方、ＮＳＳ信号を受信した場合（Ｓ３１８：ＹＥＳ）には、Ｓ３１９へ進む。
【００５２】
Ｓ３１９において、ＣＰＵ１４ａは、ＮＳＳ信号から表示パラメータ３１０を抽出する。そして、表示パラメータの設定を行っているページのページ番号３１１、位置基準情報３１２、回転表示情報３１３を、表示パラメータテーブルＴＢ１ａに記憶する。Ｓ３２１において、ＣＰＵ１４ａは、ＦＡＸ送信のプロトコルに従い、受信ページ番号に対応する１ページ分の画像データを受信する。
【００５３】
Ｓ３２３において、ＣＰＵ１４ａは、ＥＯＭ信号を受信したか否かを判断する。
受信した場合（Ｓ３２３：ＹＥＳ）にはＳ３２７へ進み、ＣＰＵ１４ａは、ＭＣＦ信号を送信する。Ｓ３２８において、ＣＰＵ１４ａは、受信ページ番号を１ページ分増加させ、Ｓ３１７へ戻る。
【００５４】
以上より、Ｓ３１７ないしＳ３２８を繰り返すことで、画像データの全ページを受信することができる。また、表示パラメータ３１０が設定されているページについては、画像データと共に表示パラメータを受信することができる。よって、多機能機１０（送信側装置）に保持されている表示パラメータテーブルＴＢ１の内容を、多機能機１０ａ（受信側装置）の表示パラメータテーブルＴＢ１ａへコピーすることができる。
【００５５】
一方、Ｓ３２３において、ＥＯＭ信号を受信していない場合（Ｓ３２３：ＮＯ）には、Ｓ３２９へ進む。Ｓ３２９において、ＣＰＵ１４ａは、ＥＯＰ信号を受信する。Ｓ３３１において、ＣＰＵ１４ａは、ＭＣＦ信号を送信する。Ｓ３３３において、ＣＰＵ１４ａは、ＤＣＮ信号を受信する。Ｓ３３５において、ＣＰＵ１４ａは、回線を開放する。そしてＦＡＸ受信処理を終了する。
【００５６】
多機能機１０ａ（受信側装置）での受信画像データの選択処理を、図４のフローを用いて説明する。図４のフローは、タッチパネル５０ａに表示されている受信一覧表示ボタン１１３がユーザにタッチされることにより開始される。Ｓ３５１において、ＣＰＵ１４ａは、受信データ一覧テーブルＴＢ２ａ（図１０）を、タッチパネル５０ａに表示する。ユーザは、受信データ一覧テーブルＴＢ２ａの中から、タッチパネル５０ａに表示させたい画像データの受信番号２１１を選択する。
【００５７】
Ｓ３５３において、ＣＰＵ１４ａは、選択された画像データの表示パラメータ情報２１４が、「有り」になっているか否かを判断する。「有り」ではない場合（Ｓ３５３：ＮＯ）にはＳ３５５へ進み、ＣＰＵ１４ａは、通常の表示処理を行う。通常の表示処理では、位置基準情報３１２として、原点Ｐ０（図１１）の座標が用いられる。よって、原点Ｐ０を左上隅部として表示領域４５０が配置される。そして、表示領域４５０でトリミングされる領域が、タッチパネル５０ａに表示される。また、印刷ボタン１１４がユーザにタッチされることに応じて、印刷部５４ａを用いて画像データが印刷される。
【００５８】
一方、Ｓ３５３において、選択された画像データの表示パラメータ情報２１４が「有り」である場合（Ｓ３５３：ＹＥＳ）には、Ｓ３５７へ進む。Ｓ３５７において、ＣＰＵ１４ａは、受信画像データの表示処理を行う。
【００５９】
Ｓ３５７で行われる、受信画像データの表示処理の詳細を、図５および図６のフローを用いて説明する。Ｓ４０５において、ＣＰＵ１４ａは、表示ページ番号＝１にセットする。表示ページ番号は、複数ページの画像データのうち、何ページ目を表示するかを指示するポインタである。
【００６０】
Ｓ４０７においてＣＰＵ１４ａは、原稿データのページ番号のうちに、表示ページ番号と一致するページが存在するか否かを判断する。存在しない場合（Ｓ４０７：ＮＯ）には、表示するページがないと判断され、フローを終了する。一方、存在する場合（Ｓ４０７：ＹＥＳ）には、Ｓ４０９へ進む。
【００６１】
Ｓ４０９において、ＣＰＵ１４ａは、表示パラメータテーブルＴＢ１ａをＮＶＲＡＭ４０ａから読み出す。Ｓ４１１においてＣＰＵ１４ａは、表示パラメータテーブルＴＢ１ａに、表示ページ番号と一致するページ番号３１１が登録されているか否かを判断する。登録されていない場合（Ｓ４１１：ＮＯ）には、表示態様の指定が無いページを表示する場合であると判断され、Ｓ４１３へ進む。Ｓ４１３において、ＣＰＵ１４ａは、表示ページ番号を１ページ増加させてＳ４０７へ戻る。
【００６２】
一方、表示ページ番号と一致するページ番号が登録されている場合（Ｓ４１１：ＹＥＳ）には、Ｓ４１５へ進む。Ｓ４１５において、ＣＰＵ１４ａは、表示パラメータ３１０に従い、画像データをタッチパネル５０ａに表示する。
【００６３】
本実施形態の説明例では、表示ページ番号＝１の場合の表示形態を説明する。この場合、図９の表示パラメータテーブルＴＢ１ａにおいて、ページ番号３１１＝１の表示パラメータ３１０（位置基準情報３１２＝（３０、６０）、回転表示情報３１３＝０度）が使用される。よって、図１１に示すように、左上隅部位置Ｐ１＝（３０、６０）を基準として表示領域４５０が配置される。そして表示領域４５０でトリミングされた領域が、タッチパネル５０ａ（図８）に表示される。
【００６４】
Ｓ４１７において、ＣＰＵ１４ａは、タッチパネル５０ａに表示されている次ページボタン１０２または前ページボタン１０１がタッチされたか否かを判断する。次ページボタン１０２がタッチされた場合（Ｓ４１７：ＹＥＳ）にはＳ４１８へ進み、表示ページ番号が１ページ分増加された上で、Ｓ４０７へ戻る。また、前ページボタン１０１がタッチされた場合（Ｓ４１７：ＹＥＳ）にはＳ４１８へ進み、表示ページ番号が１ページ分減少された上で、Ｓ４０７へ戻る。一方、次ページボタン１０２および前ページボタン１０１がタッチされていない場合（Ｓ４１７：ＮＯ）には、Ｓ４１９（図６）へ進む。
【００６５】
Ｓ４１９において、ＣＰＵ１４ａは、上ボタン１０３、下ボタン１０４、左ボタン１０５、右ボタン１０６の何れかが受信側ユーザにタッチされたか否かを判断する。タッチされた場合（Ｓ４１９：ＹＥＳ）にはＳ４２１へ進む。Ｓ４２１において、ＣＰＵ１４ａは、移動後の表示領域４５０の左上隅部位置Ｐ１の座標を、ＲＡＭ３０ａに記憶する。Ｓ４２３において、ＣＰＵ１４ａは、移動後の表示領域４５０でトリミングされる領域を、タッチパネル５０ａに再表示する。そしてＳ４１７へ戻る。
【００６６】
一方、Ｓ４１９において、何れのボタンも受信側ユーザにタッチされていない場合（Ｓ４１９：ＮＯ）には、Ｓ４２５へ進む。Ｓ４２５において、ＣＰＵ１４ａは、左回転ボタン１０７または右回転ボタン１０８が受信側ユーザにタッチされたか否かを判断する。タッチされた場合（Ｓ４２５：ＹＥＳ）にはＳ４２７へ進み、ＣＰＵ１４ａは、変更後の回転角度をＲＡＭ３０ａに記憶する。Ｓ４２９において、ＣＰＵ１４ａは、回転後の表示領域４５０において、表示領域４５０の左上隅部位置Ｐ１の座標を更新する。Ｓ４３１において、ＣＰＵ１４ａは、回転後の表示領域でトリミングされる部分を、タッチパネル５０ａに再表示する。そしてＳ４１７へ戻る。
【００６７】
一方、Ｓ４２５において、何れのボタンもタッチされていない場合（Ｓ４２５：ＮＯ）にはＳ４３３へ進む。Ｓ４３３において、ＣＰＵ１４ａは、印刷ボタン１１４が受信側ユーザにタッチされたか否かを判断する。タッチされた場合（Ｓ４３３：ＹＥＳ）にはＳ４３５へ進み、ＣＰＵ１４ａは、画像データを印刷する。そしてフローを終了する。
【００６８】
ここで、Ｓ４３５の印刷処理では、表示パラメータ情報２１４によって指定される領域を、他の領域とは異なる態様で印刷するとしてもよい。例えば、図９の表示パラメータテーブルＴＢ１ａにおいて、ページ番号３１１＝１の表示パラメータ３１０（位置基準情報３１２＝（３０、６０）、回転表示情報３１３＝０度）が使用されるページを印刷する場合を説明する。この場合、図１１に示すように、左上隅部位置Ｐ１＝（３０、６０）を基準として、表示領域４５０が指定される。そして、画像データ領域４０１の全体を印刷する際に、表示領域４５０のみが、網掛け印刷やカラー印刷される。これにより、送信側ユーザが指定した領域を、受信側ユーザに明確に認識できる態様で印刷することができる。よって、ユーザの利便性を高めることができる。
【００６９】
一方、Ｓ４３３において、印刷ボタン１１４がタッチされていない場合（Ｓ４３３：ＮＯ）にはＳ４３９へ進む。Ｓ４３９において、ＣＰＵ１４ａは、閉じるボタン１１５が受信側ユーザにタッチされたか否かを判断する。タッチされていない場合（Ｓ４３９：ＮＯ）にはＳ４１７へ戻り、タッチされた場合（Ｓ４３９：ＹＥＳ）にはＳ４４１へ進む。Ｓ４４１において、ＣＰＵ１４ａは、タッチパネル５０ａに表示されている画面をクローズする。そしてフローを終了する。
【００７０】
本実施形態にかかる多機能機の効果を説明する。本実施形態の多機能機では、送信側ユーザによって、受信側ユーザに見て欲しいページを予め指定してＦＡＸ送信することができる。そして、受信側の多機能機では、送信側ユーザによって指定されたページが優先的に表示される。よって、受信側ユーザは、送信側ユーザの意図に従ってスムーズに画像データの内容を確認することが可能となる。
【００７１】
また、本実施形態の多機能機では、送信側ユーザによって、画像データのうち受信側のユーザに見て欲しい位置を予め指定してＦＡＸ送信することができる。そして、受信側の多機能機では、送信側ユーザによって指定された位置がタッチパネルに表示される。よって、ユーザの利便性を高めることができる。
【００７２】
また、本実施形態の多機能機では、送信側ユーザによって、画像データの向き（横向きや縦向きなど）に応じて予め回転角度を指定してＦＡＸ送信することができる。そして、受信側の多機能機では、送信側ユーザによって指定された回転角度を適用して、画像データがタッチパネルに表示される。よって、画像データの実際の向きと、受信側のタッチパネルで表示される際の向きとに齟齬が生じることを防止することができる。
【００７３】
また、本実施形態の多機能機では、送信側の多機能機のタッチパネルに所望の表示位置や回転角度で画像データを表示させた上で、位置決定ボタン１１１をタッチすることで、表示パラメータを設定することができる。これにより、表示パラメータを、送信側のタッチパネルで視覚を用いて直感的に設定することが可能となるため、ユーザの利便性を高めることができる。
【００７４】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
【００７５】
回転表示情報３１３の内容は、回転角度に限られない。例えば、表示領域４５０を画像データ領域４０１上に様々な回転態様で配置した回転パターンを、予め用意しておくとしてもよい。そして、ユーザにより選択された回転パターンを、回転表示情報３１３として使用するとしてもよい。
【００７６】
また、位置基準情報３１２の内容は、画像データ領域４０１上の座標に限られない。例えば、ファクシミリデータのライン数を位置基準情報３１２に使用し、ライン数を基準として表示領域４５０が配置されるとしてもよい。また例えば、送信側の多機能機のタッチパネルにおける、縦方向または横方向のスクロール回数を、位置基準情報３１２に使用してもよい。この場合、スクロール１回当たりの移動量は既知であるため、スクロール回数を用いて左上隅部位置Ｐ１を算出することができる。
【００７７】
また、受信側の多機能機のタッチパネルに画像データを表示する際に、回転表示情報３１３を適用する態様は、様々な態様であってよい。例えば、画像データに回転表示情報３１３を適用し、画像を回転させた上で、タッチパネルに表示するとしてもよい。また、画像データをタッチパネル５０に表示した後に、回転表示情報３１３を適用して画像を回転させてもよい。
【００７８】
また、Ｓ４３５（図６）の印刷処理では、様々な態様の印刷が可能である。例えば、表示パラメータ情報２１４によって指定された表示領域４５０の位置や向きが、受信側ユーザの操作（Ｓ４１９、Ｓ４２５）によって変更された場合には、変更後の表示領域４５０のみを、網掛け印刷やカラー印刷するとしてもよい。これにより、受信側ユーザが着目する領域を、受信側ユーザに明確に認識できる態様で印刷することができる。よって、送信側ユーザと受信側ユーザとの間で、画像データ領域４０１中の着目する領域が異なる場合にも対応することが可能となる。また、送信側ユーザが指定した表示領域４５０と、受信側ユーザが位置や向きを変更した表示領域４５０との両方を、他の領域とは異なる態様で印刷するとしてもよい。例えば、送信側ユーザが指定した表示領域４５０が網掛け印刷され、受信側ユーザによって変更された表示領域４５０がカラー印刷されるとしてもよい。これにより、送信側ユーザおよび受信側ユーザのそれぞれが着目する領域を、受信側ユーザに明確に認識できる態様で印刷することができる。
【００７９】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【００８０】
なお、タッチパネル５０は送信側表示部の一例である。タッチパネル５０ａは受信側表示部の一例である。多機能機１０ａは受信側装置の一例である。ページ番号３１１はページ情報の一例である。
【００８１】
また、Ｓ１１１を実行する制御部は画像データ生成手段の一例である。Ｓ１１５、Ｓ４１５を実行する制御部は表示手段の一例である。Ｓ１３９を実行する制御部は入力受付手段の一例である。Ｓ１１９〜Ｓ１３７を実行する制御部は表示パラメータ設定手段の一例である。Ｓ２１９を実行する制御部は送信手段の一例である。Ｓ３２１を実行する制御部は画像データ受信手段の一例である。Ｓ３１９を実行する制御部は表示パラメータ受信手段の一例である。Ｓ４３５を実行する制御部は印刷手段の一例である。Ｓ３５１を実行する制御部は一覧表示手段の一例である。
【符号の説明】
【００８２】
１０および１０ａ：多機能機、１４および１４ａ：ＣＰＵ、５０および５０ａタッチパネル、３１０：表示パラメータ、３１１：ページ番号、３１２：位置基準情報、３１３：回転表示情報、ＴＢ１およびＴＢ１ａ：表示パラメータテーブル、ＴＢ２およびＴＢ２ａ：受信データ一覧テーブル
【図１】
2011211475.tif 000003
【図２】
2011211475.tif 000004
【図３】
2011211475.tif 000005
【図４】
2011211475.tif 000006
【図５】
2011211475.tif 000007
【図６】
2011211475.tif 000008
【図７】
2011211475.tif 000009
【図８】
2011211475.tif 000010
【図９】
2011211475.tif 000011
【図１０】
2011211475.tif 000012
【図１１】
2011211475.tif 000013
【図１２】
2011211475.tif 000014